(57)【要約】【課題】生体情報取得装置が実際に使用される事前における内蔵バッテリの消耗を防止可能な生体情報取得システムを提供する。【解決手段】本発明の生体情報取得システムは、生体情報取得部を備えた生体情報取得装置と、生体情報取得装置を起動または停止させるための起動制御信号を送信する起動制御信号出力装置と、を有し、生体情報取得装置は、生体情報取得部を駆動するための駆動電力を供給可能な電源部と、相互に異なる共振周波数の共振回路を具備して構成された複数の起動制御信号受信部と、複数または全ての起動制御信号受信部において起動制御信号が受信された際に、電源部から生体情報取得部への駆動電力の供給状態を切り替える電力供給制御部と、を有し、起動制御信号出力装置は、起動制御信号受信部に設けられた各共振回路の共振周波数に対応する周波数の起動制御信号を送信可能な起動制御信号送信部を有する。【選択図】図１
2011188882.tif 000002
【特許請求の範囲】
【請求項１】
生体内部の情報を取得する生体情報取得部を備えた生体情報取得装置と、前記生体情報取得装置の外部に設けられ、前記生体情報取得装置を起動または停止させるための起動制御信号を送信する起動制御信号出力装置と、を有する生体情報取得システムであって、
前記生体情報取得装置は、
前記生体情報取得部を駆動するための駆動電力を供給可能な電源部と、
相互に異なる共振周波数の共振回路を具備して構成された、複数の起動制御信号受信部と、
複数または全ての前記起動制御信号受信部において前記起動制御信号が受信された際に、前記電源部から前記生体情報取得部への前記駆動電力の供給状態を切り替える電力供給制御部と、を有し、
前記起動制御信号出力装置は、
前記複数の起動制御信号受信部に設けられた各共振回路の共振周波数に対応する送信周波数の前記起動制御信号を送信可能な起動制御信号送信部を有する
ことを特徴とする生体情報取得システム。
【請求項２】
前記起動制御信号送信部は、前記起動制御信号受信部と同数の送信アンテナを有し、該送信アンテナ各々から個別に前記起動制御信号を送信することを特徴とする請求項１に記載の生体情報取得システム。
【請求項３】
前記起動制御信号送信部は、１つの送信アンテナを有し、前記送信周波数を切り替えながら前記１つの送信アンテナから前記起動制御信号を送信することを特徴とする請求項１に記載の生体情報取得システム。
【請求項４】
前記電力供給制御部は、前記電源部と前記生体情報取得部との間に直列接続され、かつ、前記起動制御信号の受信に応じて個別にオンオフを切り替え可能な、前記起動制御信号受信部と同数のスイッチ部を有して構成されることを特徴とする請求項１に記載の生体情報取得システム。
【発明の詳細な説明】
【技術分野】
【０００１】
本発明は、生体情報取得システムに関し、特に、生体内の情報を取得可能な生体情報取得システムに関するものである。
【背景技術】
【０００２】
医療分野における内視鏡は、生体内の観察等の用途において従来用いられている。そして、前述した内視鏡の種類の１つとして、被検者が嚥下することにより体腔内に配置され、蠕動運動に伴って該体腔内を移動しつつ被写体の像を撮像し、撮像した該被写体の像を撮像信号として外部に無線伝送可能なカプセル型内視鏡が近年提案されている。
【０００３】
そして、前述したカプセル型内視鏡と略同様の構成を有するものとしては、例えば、特許文献１に開示されているようなものがある。
【０００４】
具体的には、特許文献１には、１つの磁界検知用コイルを有して構成されたカプセル型内視鏡を含む生体観察システムにおいて、カプセル型内視鏡の外部から磁界を照射することにより、該カプセル型内視鏡の電源のオンオフを切り替えることが可能な構成が開示されている。
【発明の概要】
【発明が解決しようとする課題】
【０００５】
しかし、特許文献１に開示された構成によれば、例えば、予期せぬ外乱ノイズが発生した場合に、該外乱ノイズを起動時の磁界と誤検知してしまうことにより、輸送時等においてカプセル型内視鏡の電源がオンしてしまうおそれがある。その結果、特許文献１に開示された構成によれば、実際に使用する事前にカプセル型内視鏡の内蔵バッテリが消耗してしまい、充分な動作時間を確保できないため、所望の部位が観察できなくなるという状況が発生し得る。
【０００６】
本発明は、前述した事情に鑑みてなされたものであり、生体情報取得装置が実際に使用される事前における内蔵バッテリの消耗を防止可能な生体情報取得システムを提供することを目的としている。
【課題を解決するための手段】
【０００７】
本発明の生体情報取得システムは、生体内部の情報を取得する生体情報取得部を備えた生体情報取得装置と、前記生体情報取得装置の外部に設けられ、前記生体情報取得装置を起動または停止させるための起動制御信号を送信する起動制御信号出力装置と、を有する生体情報取得システムであって、前記生体情報取得装置は、前記生体情報取得部を駆動するための駆動電力を供給可能な電源部と、相互に異なる共振周波数を備えた共振回路を１つずつ有して構成された、複数の起動制御信号受信部と、複数または全ての前記起動制御信号受信部において前記起動制御信号が受信された際に、前記電源部から前記生体情報取得部への前記駆動電力の供給状態を切り替える電力供給制御部と、を有し、前記起動制御信号出力装置は、前記複数の起動制御信号受信部に設けられた各共振回路の共振周波数に対応する送信周波数の前記起動制御信号を送信可能な起動制御信号送信部を有する。
【発明の効果】
【０００８】
本発明における生体情報取得システムによれば、生体情報取得装置が実際に使用される事前における内蔵バッテリの消耗を防止可能である。
【図面の簡単な説明】
【０００９】
【図１】本発明の実施例に係る生体情報取得システムの要部を示す図。
【図２】磁界検出部の具体的な構成の一例を示す図。
【図３】本発明の実施例における第１の変形例に係る生体情報取得システムの要部を示す図。
【図４】本発明の実施例における第２の変形例に係る生体情報取得システムの要部を示す図。
【図５】本発明の実施例における第３の変形例に係る生体情報取得システムの要部を示す図。
【図６】本発明の実施例における第４の変形例に係る生体情報取得システムの要部を示す図。
【発明を実施するための形態】
【００１０】
以下、本発明の実施の形態について、図面を参照しつつ説明を行う。
【００１１】
図１から図６は、本発明の実施例に係るものである。
【００１２】
本実施例の生体情報取得システム１は、図１に示すように、生体内部に配置可能な寸法及び形状等を有して構成されたカプセル型内視鏡１０と、カプセル型内視鏡１０に対して交流磁界による起動制御信号を送信する磁界発生装置２０と、を有している。
【００１３】
生体情報取得装置としてのカプセル型内視鏡１０は、例えば図１に示すように、生体内部の被写体を照明する照明部１１と、照明部１１により照明された被写体を結像する図示しない対物光学系と、該対物光学系により結像された被写体を撮像して撮像信号を出力する撮像素子等を備えた撮像部１２と、撮像部１２から出力される撮像信号を無線信号に変換して外部へ出力する無線伝送部１３と、を具備する生体情報取得部を内蔵している。
【００１４】
さらに、カプセル型内視鏡１０は、例えば図１に示すように、生体情報取得部を構成する各部の駆動に要する駆動電力を供給可能なバッテリ等からなる電源部１４と、磁界発生装置２０から発せられた交流磁界による起動制御信号を検出（受信）可能な磁界検出部１５ａ及び１５ｂと、磁界検出部１５ａ及び１５ｂからの出力信号が入力されるＡＮＤ回路１６と、ＡＮＤ回路１６の制御に応じて電源部１４から生体情報取得部を構成する各部への電力供給状態を切り替えるスイッチ部１７と、を内蔵している。
【００１５】
磁界検出部１５ａは、例えば図２に示すように、二次側コイル１５１ａ及び二次側コンデンサ１５２ａを具備する第１の共振回路（受信アンテナ）と、該第１の共振回路から出力される出力信号を整流してＡＮＤ回路１６へ出力する整流回路１５３ａと、を有している。また、磁界検出部１５ｂは、例えば図２に示すように、二次側コイル１５１ｂ及び二次側コンデンサ１５２ｂを具備する第２の共振回路（受信アンテナ）と、該第２の共振回路から出力される出力信号を整流してＡＮＤ回路１６へ出力する整流回路１５３ｂと、を有している。
【００１６】
磁界検出部１５ａの第１の共振回路は、二次側コイル１５１ａのインダクタンスと二次側コンデンサ１５２ａの静電容量との組み合わせにより、第１の共振周波数を有するように構成されている。また、磁界検出部１５ｂの第２の共振回路は、二次側コイル１５１ｂのインダクタンスと二次側コンデンサ１５２ｂの静電容量との組み合わせにより、第１の共振周波数とは異なる第２の共振周波数を有するように構成されている。
【００１７】
磁界発生装置２０は、例えば図１に示すように、発振器２１ａと、駆動制御部２２ａと、アンテナ２３ａと、を具備する第１の磁界発生部を有している。
【００１８】
駆動制御部２２ａは、発振器２１ａからの出力信号に対して周波数変換等の処理を施した後、前述の第１の共振周波数と同じ周波数によりアンテナ２３ａを駆動する。そして、送信アンテナとしての機能を有するアンテナ２３ａは、駆動制御部２２ａの駆動制御に応じ、前述の第１の共振周波数と同じ周波数（送信周波数）の交流磁界（起動制御信号）を発する（送信する）。
【００１９】
また、磁界発生装置２０は、例えば図１に示すように、発振器２１ｂと、駆動制御部２２ｂと、アンテナ２３ｂと、を具備する第２の磁界発生部を有している。
【００２０】
駆動制御部２２ｂは、発振器２１ｂからの出力信号に対して周波数変換等の処理を施した後、前述の第２の共振周波数と同じ周波数によりアンテナ２３ｂを駆動する。そして、送信アンテナとしての機能を有するアンテナ２３ｂは、駆動制御部２２ｂの駆動制御に応じ、前述の第２の共振周波数と同じ周波数（送信周波数）の交流磁界（起動制御信号）を発する（送信する）。
【００２１】
次に、本実施例の作用について説明を行う。
【００２２】
まず、ユーザは、図示しないパッケージ等からカプセル型内視鏡１０を取り出し、カプセル型内視鏡１０を磁界発生装置２０の近くに配置した後、磁界発生装置２０を起動させる。
【００２３】
磁界発生装置２０の起動に伴い、第１の共振周波数と同じ周波数の交流磁界がアンテナ２３ａから発せられ、さらに、第２の共振周波数と同じ周波数の交流磁界がアンテナ２３ｂから発せられる。
【００２４】
アンテナ２３ａから発せられた交流磁界は、第１の共振回路の一部である二次側コイル１５１ａにおいて検出される。これに伴い、電磁誘導による電位差が二次側コイル１５１ａの両端に発生し、該電位差に応じた交流の電気信号が整流回路１５３ａへ出力される。二次側コイル１５１ａから出力された交流の電気信号は、整流回路１５３ａにおいて整流された後、直流の電気信号としてＡＮＤ回路１６へ出力される。
【００２５】
一方、アンテナ２３ｂから発せられた交流磁界は、第２の共振回路の一部である二次側コイル１５１ｂにおいて検出される。これに伴い、電磁誘導による電位差が二次側コイル１５１ｂの両端に発生し、該電位差に応じた交流の電気信号が整流回路１５３ｂへ出力される。二次側コイル１５１ｂから出力された交流の電気信号は、整流回路１５３ｂにおいて整流された後、直流の電気信号としてＡＮＤ回路１６へ出力される。
【００２６】
ＡＮＤ回路１６は、磁界検出部１５ａからの出力信号と、磁界検出部１５ｂからの出力信号との両方が入力されるまでの期間において、スイッチ部１７のオンオフを現在の状態に維持するような制御を行う。すなわち、磁界検出部１５ａ及び磁界検出部１５ｂの両方において交流磁界による起動制御信号が検出（受信）されるまでは、スイッチ部１７がオフしたままの状態となる。
【００２７】
一方、ＡＮＤ回路１６は、磁界検出部１５ａからの出力信号と、磁界検出部１５ｂからの出力信号との両方が入力されたタイミングにおいて、スイッチ部１７のオンオフを現在の状態から切り替えるような制御を行う。すなわち、磁界検出部１５ａ及び磁界検出部１５ｂの両方において交流磁界による起動制御信号が検出（受信）された際に、スイッチ部１７がオフからオンに切り替えられる。
【００２８】
そして、スイッチ部１７がＡＮＤ回路１６の制御に応じてオフからオンに切り替えられることに伴い、電源部１４から生体情報取得部を構成する各部への駆動電力の供給が開始され、カプセル型内視鏡１０が起動する。
【００２９】
なお、以上に述べたような、スイッチ部１７をオフからオンに切り替えてカプセル型内視鏡１０を起動させる際の手順及び動作等は、スイッチ部１７をオンからオフに切り替えてカプセル型内視鏡１０を停止させる際の手順及び動作等として略同様に適用できる。
【００３０】
以上に述べたように、本実施例によれば、共振周波数が相互に異なる共振回路を有して構成された磁界検出部１５ａ及び磁界検出部１５ｂの両方において交流磁界による起動制御信号が検出（受信）されるまでは、カプセル型内視鏡１０が起動しないように構成されている。そのため、本実施例によれば、輸送中等において予期せぬ外乱ノイズの発生に伴ってカプセル型内視鏡１０が起動してしまうことがなくなるため、結果的に、カプセル型内視鏡１０が実際に使用される事前における電源部１４の消耗を防止することができる。
【００３１】
ところで、以上に述べた実施例によれば、前述の効果と略同一の効果を得ることが可能な種々の変形例が考えられる。そのため、以降においては、このような種々の変形例についての説明を行う。なお、以降においては、説明の簡単のため、既に述べたものと同じ構成要素等に関する詳細な説明を適宜省略する。
【００３２】
本実施例における第１の変形例に係る生体情報取得システム１Ａは、図３に示すように、カプセル型内視鏡１０と、カプセル型内視鏡１０に対して交流磁界による起動制御信号を送信する磁界発生装置２０Ａと、を有している。
【００３３】
磁界発生装置２０Ａは、例えば図３に示すように、発振器２１ａ及び２１ｂと、周波数変換部２４ａ及び２４ｂと、信号合成部２５と、アンテナ２７と、を有して構成されている。
【００３４】
周波数変換部２４ａは、発振器２１ａからの出力信号に対して周波数変換等の処理を施した後、前述の第１の共振周波数と同じ周波数の信号を信号合成部２５へ出力する。
【００３５】
周波数変換部２４ｂは、発振器２１ｂからの出力信号に対して周波数変換等の処理を施した後、前述の第２の共振周波数と同じ周波数の信号を信号合成部２５へ出力する。
【００３６】
信号合成部２５は、周波数変換部２４ａからの出力信号と周波数変換部２４ｂからの出力信号とを合成（加算）し、合成（加算）後の信号に応じてアンテナ２７を駆動する。
【００３７】
送信アンテナとしての機能を有するアンテナ２７は、信号合成部２５の駆動制御に応じ、前述の第１の共振周波数と同じ周波数（送信周波数）の交流磁界（起動制御信号）と、前述の第２の共振周波数と同じ周波数（送信周波数）の交流磁界（起動制御信号）と、が合成された合成磁界を発する（送信する）。
【００３８】
以上に述べたように、本実施例における第１の変形例によれば、磁界検出部１５ａ及び磁界検出部１５ｂの両方において前述の合成磁界による起動制御信号が検出（受信）されるまでは、カプセル型内視鏡１０が起動しないように構成されている。そのため、本実施例における第１の変形例によれば、輸送中等において予期せぬ外乱ノイズの発生に伴ってカプセル型内視鏡１０が起動してしまうことがなくなるため、結果的に、カプセル型内視鏡１０が実際に使用される事前における電源部１４の消耗を防止することができる。
【００３９】
本実施例における第２の変形例に係る生体情報取得システム１Ｂは、図４に示すように、生体内部に配置可能な寸法及び形状等を有して構成されたカプセル型内視鏡１０Ｂと、カプセル型内視鏡１０Ｂに対して交流磁界による起動制御信号を送信する磁界発生装置２０Ｂと、を有している。
【００４０】
生体情報取得装置としてのカプセル型内視鏡１０Ｂは、例えば図４に示すように、照明部１１と、図示しない対物光学系と、撮像部１２と、無線伝送部１３と、を具備する生体情報取得部を内蔵している。
【００４１】
さらに、カプセル型内視鏡１０Ｂは、例えば図４に示すように、電源部１４と、磁界検出部１５ａ及び１５ｂと、ＡＮＤ回路１６と、スイッチ部１７と、信号制御部１８と、を内蔵している。
【００４２】
信号制御部１８は、磁界検出部１５ａからの出力信号が入力された場合に、該出力信号を少なくとも所定の期間ＡＮＤ回路１６へ出力させ続けるように、該出力信号の出力を保持可能に構成されている。また、信号制御部１８は、磁界検出部１５ｂからの出力信号が入力された場合に、該出力信号を少なくとも所定の期間ＡＮＤ回路１６へ出力させ続けるように、該出力信号の出力を保持可能に構成されている。
【００４３】
一方、磁界発生装置２０Ｂは、例えば図４に示すように、発振器２１ａ及び２１ｂと、周波数変換部２４ａ及び２４ｂと、信号切替部２６と、アンテナ２７と、を有して構成されている。
【００４４】
信号切替部２６は、周波数変換部２４ａからの出力信号と、周波数変換部２４ｂからの出力信号と、を交互に切り替えながら、いずれか一方の出力信号に基づいてアンテナ２７を駆動する。
【００４５】
磁界発生装置２０Ｂのアンテナ２７は、信号切替部２６の駆動制御に応じ、前述の第１の共振周波数と同じ周波数（送信周波数）の交流磁界（起動制御信号）と、前述の第２の共振周波数と同じ周波数（送信周波数）の交流磁界（起動制御信号）と、を交互に発する（送信する）。換言すると、磁界発生装置２０Ｂは、第１の期間において、前述の第１の共振周波数と同じ周波数の交流磁界を発し、かつ、前記第１の期間と重複しない第２の期間において、前述の第２の共振周波数と同じ周波数の交流磁界を発することが可能な構成を有している。
【００４６】
以上に述べたように、本実施例における第２の変形例によれば、磁界検出部１５ａにおける交流磁界（起動制御信号）の検出（受信）に伴う信号出力が信号制御部１８により保持され、かつ、磁界検出部１５ｂにおける交流磁界（起動制御信号）の検出（受信）に伴う信号出力が信号制御部１８により保持されない限りは、カプセル型内視鏡１０Ｂが起動しないように構成されている。そのため、本実施例における第２の変形例によれば、輸送中等において予期せぬ外乱ノイズの発生に伴ってカプセル型内視鏡１０Ｂが起動してしまうことがなくなるため、結果的に、カプセル型内視鏡１０Ｂが実際に使用される事前における電源部１４の消耗を防止することができる。  
本実施例における第３の変形例に係る生体情報取得システム１Ｃは、図５に示すように、生体内部に配置可能な寸法及び形状等を有して構成されたカプセル型内視鏡１０Ｃと、磁界発生装置２０と、を有している。
【００４７】
生体情報取得装置としてのカプセル型内視鏡１０Ｃは、例えば図５に示すように、照明部１１と、図示しない対物光学系と、撮像部１２と、無線伝送部１３と、を具備する生体情報取得部を内蔵している。
【００４８】
さらに、カプセル型内視鏡１０Ｃは、例えば図５に示すように、電源部１４と、磁界検出部１５ａ及び１５ｂと、磁界検出部１５ａからの出力信号に応じてオンまたはオフに切り替わるスイッチ部１７ａと、磁界検出部１５ｂからの出力信号に応じてオンまたはオフに切り替わるスイッチ部１７ｂと、を内蔵している。
【００４９】
スイッチ部１７ａは、図５に示すように、電源部１４及びスイッチ部１７ｂに対して直列に接続されている。また、スイッチ部１７ｂは、図５に示すように、スイッチ部１７ａ及び生体情報取得部の各部に対して直列に接続されている。そのため、スイッチ部１７ａ及びスイッチ部１７ｂの両方がオンしない限りは、電源部１４と生体情報取得部の各部とが電気的に接続されない。
【００５０】
以上に述べたように、本実施例における第３の変形例によれば、磁界検出部１５ａ及び磁界検出部１５ｂの両方において交流磁界による起動制御信号が検出（受信）されるまでは、スイッチ部１７ａ及び１７ｂの少なくとも一方がオフすることにより、カプセル型内視鏡１０Ｃが起動しないように構成されている。そのため、本実施例における第３の変形例によれば、輸送中等において予期せぬ外乱ノイズの発生に伴ってカプセル型内視鏡１０Ｃが起動してしまうことがなくなるため、結果的に、カプセル型内視鏡１０Ｃが実際に使用される事前における電源部１４の消耗を防止することができる。
【００５１】
本実施例における第４の変形例に係る生体情報取得システム１Ｄは、図６に示すように、生体内部に配置可能な寸法及び形状等を有して構成されたカプセル型内視鏡１０Ｄと、カプセル型内視鏡１０Ｄに対して交流磁界による起動制御信号を送信する磁界発生装置２０Ｄと、を有している。
【００５２】
生体情報取得装置としてのカプセル型内視鏡１０Ｄは、例えば図６に示すように、照明部１１と、図示しない対物光学系と、撮像部１２と、無線伝送部１３と、を具備する生体情報取得部を内蔵している。
【００５３】
さらに、カプセル型内視鏡１０Ｄは、例えば図６に示すように、電源部１４と、磁界検出部１５ａ、１５ｂ及び１５ｃと、ＡＮＤ回路１６ａ、１６ｂ及び１６ｃと、スイッチ切替制御部１９と、スイッチ部１７と、を内蔵している。
【００５４】
磁界検出部１５ｃは、第１の共振周波数及び第２の共振周波数のいずれとも異なる第３の共振周波数を有するように構成された第３の共振回路（受信アンテナ）と、該第３の共振回路から出力される出力信号を整流して出力する整流回路と、を有して構成されている。なお、磁界検出部１５ｃの第３の共振回路は、例えば、前述の第１の共振回路及び第２の共振回路と同様に、二次側コイル及び二次側コンデンサを用いて構成することができる。
【００５５】
ＡＮＤ回路１６ａは、磁界検出部１５ａからの出力信号と、磁界検出部１５ｂからの出力信号との両方が入力されるまでの期間においては、スイッチ切替制御部１９に対する信号出力を行わない。また、ＡＮＤ回路１６ａは、磁界検出部１５ａからの出力信号と、磁界検出部１５ｂからの出力信号との両方が入力されたタイミングにおいて、スイッチ切替要求信号をスイッチ切替制御部１９に対して出力する。
【００５６】
ＡＮＤ回路１６ｂは、磁界検出部１５ａからの出力信号と、磁界検出部１５ｃからの出力信号との両方が入力されるまでの期間においては、スイッチ切替制御部１９に対する信号出力を行わない。また、ＡＮＤ回路１６ｂは、磁界検出部１５ａからの出力信号と、磁界検出部１５ｃからの出力信号との両方が入力されたタイミングにおいて、スイッチ切替要求信号をスイッチ切替制御部１９に対して出力する。
【００５７】
ＡＮＤ回路１６ｃは、磁界検出部１５ｂからの出力信号と、磁界検出部１５ｃからの出力信号との両方が入力されるまでの期間においては、スイッチ切替制御部１９に対する信号出力を行わない。また、ＡＮＤ回路１６ｃは、磁界検出部１５ｂからの出力信号と、磁界検出部１５ｃからの出力信号との両方が入力されたタイミングにおいて、スイッチ切替要求信号をスイッチ切替制御部１９に対して出力する。
【００５８】
スイッチ切替制御部１９は、１つまたは複数の論理回路等を用いて構成され、ＡＮＤ回路１６ａ、１６ｂ及び１６ｃからのスイッチ切替要求信号の出力状態に基づき、スイッチ部１７のオンオフの切り替えに関する制御を行う。
【００５９】
具体的には、スイッチ切替制御部１９は、ＡＮＤ回路１６ａ、１６ｂ及び１６ｃのうち、どのＡＮＤ回路からもスイッチ切替要求信号が出力されていない場合、または、１つのＡＮＤ回路のみからスイッチ切替要求信号が出力されている場合においては、スイッチ部１７のオンオフを現在の状態に維持するような制御を行う。また、スイッチ切替制御部１９は、ＡＮＤ回路１６ａ、１６ｂ及び１６ｃのうち、２つまたは３つのＡＮＤ回路からスイッチ切替要求信号が出力されている場合においては、スイッチ部１７のオンオフを現在の状態から切り替えるような制御を行う。
【００６０】
一方、磁界発生装置２０Ｄは、例えば図６に示すように、前述の第１の磁界発生部及び第２の磁界発生部に加え、さらに、発振器２１ｃと、駆動制御部２２ｃと、アンテナ２３ｃと、を具備する第３の磁界発生部を有している。
【００６１】
駆動制御部２２ｃは、発振器２１ｃからの出力信号に対して周波数変換等の処理を施した後、前述の第３の共振周波数と同じ周波数によりアンテナ２３ｃを駆動する。そして、送信アンテナとしての機能を有するアンテナ２３ｃは、駆動制御部２２ｃの駆動制御に応じ、前述の第３の共振周波数と同じ周波数（送信周波数）の交流磁界（起動制御信号）を発する（送信する）。
【００６２】
以上に述べたように、本実施例における第４の変形例によれば、磁界検出部１５ａ、磁界検出部１５ｂ及び磁界検出部１５ｃの全てにおいて交流磁界による起動制御信号が検出（受信）されるまでは、スイッチ切替制御部１９によるスイッチ部１７の切り替えに関する制御が行われないことにより、カプセル型内視鏡１０Ｄが起動しないように構成されている。そのため、本実施例における第４の変形例によれば、輸送中等において予期せぬ外乱ノイズの発生に伴ってカプセル型内視鏡１０Ｄが起動してしまうことがなくなるため、結果的に、カプセル型内視鏡１０Ｄが実際に使用される事前における電源部１４の消耗を防止することができる。
【００６３】
なお、本発明は、上述した実施例に限定されるものではなく、発明の趣旨を逸脱しない範囲内において種々の変更や応用が可能であることは勿論である。
【符号の説明】
【００６４】
１，１Ａ，１Ｂ，１Ｃ，１Ｄ  生体情報取得システム
１０，１０Ｂ，１０Ｃ，１０Ｄ  カプセル型内視鏡
１１  照明部
１２  撮像部
１３  無線伝送部
１４  電源部
１５ａ、１５ｂ，１５ｃ  磁界検出部
１６，１６ａ，１６ｂ，１６ｃ  ＡＮＤ回路
１７，１７ａ，１７ｂ  スイッチ部
１８  信号制御部
１９  スイッチ切替制御部
２０，２０Ａ，２０Ｂ，２０Ｄ  磁界発生装置
２１ａ，２１ｂ，２１ｃ  発振器
２２ａ，２２ｂ，２２ｃ  駆動制御部
２３ａ，２３ｂ，２３ｃ  アンテナ
２４ａ，２４ｂ  周波数変換部
２５  信号合成部
２６  信号切替部
２７  アンテナ
１５１ａ，１５１ｂ  二次側コイル
１５２ａ，１５２ｂ  二次側コンデンサ
１５３ａ，１５３ｂ  整流回路
【先行技術文献】
【特許文献】
【００６５】
【特許文献１】特開２００９−８９９０７号公報
【図１】
2011188882.tif 000003
【図２】
2011188882.tif 000004
【図３】
2011188882.tif 000005
【図４】
2011188882.tif 000006
【図５】
2011188882.tif 000007
【図６】
2011188882.tif 000008